(57)【要約】      （修正有）【課題】水生生物の越境を有効に防ぐことができる越境防止フェンスを提供する。【解決手段】越境防止フェンス１は、遮蔽シート１０を備え、遮蔽シート１０は、遮蔽シート１０の一辺に位置し、フロートａ１と連結するための連結部１１と、連結部１１と対向する辺に位置する展張部１３であって、水底または陸地に固定した係留支柱と接続することで、遮蔽シート１０を水面に広がった状態に維持するための展張部１３を有し、連結部１１がフロートａ１の上部と連結することで、遮蔽シート１０が水面に浮体フェンスＡの長手方向に連続する遮蔽空間を形成可能に構成されている。【選択図】図１
0003209925.tif 000002
【実用新案登録請求の範囲】
【請求項１】
フロートを備えた浮体フェンスに付設し、前記浮体フェンスによって仕切られた一水域から他水域への水生生物の越境を防止するための越境防止フェンスであって、
遮蔽シートを備え、
前記遮蔽シートは、前記遮蔽シートの一辺に位置し、前記フロートと連結するための連結部を有し、
前記連結部が前記フロートの上部と連結することで、前記遮蔽シートが水面に前記浮体フェンスの長手方向に連続する遮蔽空間を形成可能に構成されていることを特徴とする、
越境防止フェンス。
【請求項２】
前記遮蔽シートは、前記連結部と対向する辺に位置する展張部であって、水底または陸地に固定した係留支柱と接続することで、前記遮蔽シートを水面に広がった状態に維持するための展張部を備えることを特徴とする、請求項１に記載の越境防止フェンス。
【請求項３】
前記遮蔽シートの比重は１以下であることを特徴とする、請求項１または２に記載の越境防止フェンス。
【請求項４】
前記遮蔽シートの遮光率は９５％以上であることを特徴とする、請求項１乃至３のいずれか一項に記載の越境防止フェンス。
【考案の詳細な説明】
【技術分野】
【０００１】
本考案は越境防止フェンスに関し、特に浮体フェンスで区切られた一水域から他水域への水生生物の越境を防止するための越境防止フェンスに関する。
【背景技術】
【０００２】
近年、従来日本に生息していなかった外来水生植物が湖沼などの水域において爆発的に繁茂し、周辺の自然環境や生態系に悪影響を及ぼしている。
これに対し、環境庁や各自治体は、ウインチ付きの建設機械や専用の水草刈取り船（ハーベスター）などを用いて外来水生植物の駆除を行っている（非特許文献１）。外来水生植物は繁殖力が非常に高く、駆除のスピードより早く繁殖するため、駆除と平行して生息水域への封じ込めを行う必要がある。
【０００３】
外来水生植物の封じ込める方法には、浮体フェンスによって外来水生植物の生息水域を囲い込む方法がある。
浮体フェンスとは、柱状のフロートと、フロートの下部から垂下したスカートを備える浮体式のフェンスである。これを長手方向に連続して生息水域を包囲することで、外来水生植物の拡散を防止する。
【先行技術文献】
【非特許文献】
【０００４】
【非特許文献１】「琵琶湖の現状及び課題について（滋賀県琵琶湖環境部琵琶湖政策課：平成２７年１月２６日）」http://www.pref.shiga.lg.jp/shingikai/kankyo/files/genjo_kadai.pdf
【考案の概要】
【考案が解決しようとする課題】
【０００５】
しかし、問題となっている外来水生植物はいずれも繁殖力が旺盛であるため、例えば琵琶湖で大量発生しているオオバナミズキンバイは、浮体フェンスの上部を乗り越えたり、水中から浮体フェンスの下部を潜り抜けてフェンスを越境してしまうことがある。従って、従来技術では外来水生植物を有効に封じ込めることができなかった。
【課題を解決するための手段】
【０００６】
上記のような課題を解決するための、本考案の越境防止フェンスは、遮蔽シートを備え、遮蔽シートは、遮蔽シートの一辺に位置し、フロートと連結するための連結部を有し、連結部がフロートの上部と連結することで、遮蔽シートが水面に浮体フェンスの長手方向に連続する遮蔽空間を形成可能に構成されていることを特徴とする。
【０００７】
本考案の越境防止フェンスは、遮蔽シートが、連結部と対向する辺に位置する展張部であって、水底または陸地に固定した係留支柱と接続することで、遮蔽シートを水面に広がった状態に維持するための展張部を備えていてもよい。
【０００８】
本考案の越境防止フェンスは、遮蔽シートの比重が１以下であってもよい。
【０００９】
本考案の越境防止フェンスは、遮蔽シートの遮光率が９５％以上であってもよい。
【考案の効果】
【００１０】
本発明の越境防止フェンスは以上説明した構成を有するため、次の効果の少なくともひとつを備える。
＜１＞遮蔽シートによって浮体フェンスの両水域間に遮蔽空間を確保することで、浮体フェンスの乗り越え防止と水生生物の駆除を同時に行うことができる。これによって、水生生物を有効に封じ込めることができる。
＜２＞浮体フェンスを紫外線から保護して耐用年数を延ばすことができる。
＜３＞構造が簡単であるため、製造コストが安く、組立が容易である。
＜４＞既設の浮体フェンスに付設することができるため、汎用性が高い。
【図面の簡単な説明】
【００１１】
【図１】本考案に係る越境防止フェンスの説明図。
【図２】本考案に係る越境防止フェンスの説明図。
【考案を実施するための形態】
【００１２】
以下、図面を参照しながら本考案の越境防止フェンスについて詳細に説明する。
説明にあたり「上下」「左右」などの方位は、水上に浮かべた浮体フェンスに越境防止フェンスを装着した状態における各方位を示す。また、越境防止フェンスの「長さ」とは浮体フェンスの連続方向の長さを示し、「幅」とはこれに直交する水平方向の幅を示す。
【実施例１】
【００１３】
＜１＞全体の構成（図１）。
本考案の越境防止フェンス１は、浮体フェンスＡによって仕切られた一水域から他水域への、水生生物Ｂの越境を防止するためのフェンスである。
本例では、オオバナミズキンバイなどの外来水生植物を対象として説明するが、これに限られず、在来種の水生植物にも適用できる。
越境防止フェンス１は、浮体フェンスＡに付設して使用する。
ここで、浮体フェンスＡとは、倒円柱形状のフロートａ１と、フロートａ１の下部に取り付けたスカートａ２と、を備えた浮体である。浮体フェンスＡには、オイルフェンス、汚濁防止膜（商品名「シルトフェンス」）、網場（商品名「ネットフェンス」）などを含む。要はフロートａ１とスカートａ２を備えていればよい。フロートａ１の上部には持ち手のループａ３を備えていてもよい。
複数の浮体フェンスＡを長手方向に接続して水面に配置することで、水域を仕切ったり、囲い込むことができる。
越境防止フェンス１は、遮蔽シート１０を備え、遮蔽シート１０の一辺をフロートａ１の上部に連結して水面に展張することで、浮体フェンスＡの長手方向に連続する遮蔽空間Ｄを形成する。
越境防止フェンス１は、一枚物に限らず、複数の越境防止フェンス１を浮体フェンスＡの連続方向に連結して使用してもよい。
【００１４】
＜２＞遮蔽シート。
遮蔽シート１０は、越境防止フェンス１を構成するシート状の部材である。
遮蔽シート１０は、長さ方向の一辺である連結部１１と、連結部１１に対向する他辺である展張部１３と、連結部１１と展張部１３の間に延在する被覆部１２と、を有する。
遮蔽シート１０の幅は、後述する遮蔽空間Ｄによって外来水生植物の越境を有効に防止可能な幅に設定する。本例では、遮蔽シート１０の幅を２ｍとするが、これに限られない。
遮蔽シート１０の長さには制限はない。
【００１５】
＜２．１＞遮蔽シートの素材。
遮蔽シート１０は、自らの浮力で水面に浮かぶため、比重が１以下であることが望ましい。
また、シート下方の外来水生植物の生長を阻害するため、高い遮光性を備えることが望ましい。具体的には、遮光率を９５％以上とすると、水中の外来水生植物に届く日光が光補償点を下回るため、これを枯死させることで繁茂による越境を防止することができる。
本例では、遮蔽シート１０として、遮光率９９％のポリプロピレン製の防草シートを採用する。ポリプロピレンは耐候性に優れ、比重が０．９程度であるため、自らの浮力で水面に浮くことができる。遮蔽シート１０の素材は、このほかポリエチレン、発泡ポリスチレン等であってもよい。
【００１６】
＜３＞連結部。
連結部１１は、遮蔽シート１０を浮体フェンスＡと連結するための部分である。
連結部１１は、遮蔽シート１０の長さ方向の一辺に設ける。
本例では、遮蔽シート１０の一辺に設けた穴あきベルトを採用する。穴あきベルトには、その長手方向に沿って所定の間隔で挿通穴が設けられており、これに連結ロープ２０を挿通して浮体フェンスＡに連結する。
なお、連結部１１はこれに限らず、浮体フェンスＡとの連結機能を備えていれば他の構造を採用することもできる。例えば、遮蔽シート１０の一端に縫い付けた締結用ロープや締結ベルトなどであってもよい。
【００１７】
＜４＞展張部。
展張部１３は、遮蔽シート１０を水面に展張するための部分である。
展張部１３は、遮蔽シート１０の一辺であって、連結部１１に対向する辺に設ける。
本例では、遮蔽シート１０の一辺に設けた連結部１１と同様の穴あきベルトを採用する。穴あきベルトの挿通穴に展張ロープ３０を挿通して、水底や陸地に貫入した単管パイプ等の係留支柱Ｃと連結することで、遮蔽シート１０の被覆部１２を水面に広げた状態に保持することができる。
なお、展張部１３はこれに限らず、係留支柱Ｃと連結して遮蔽シート１０が広がった状態に保持する機能を備えていれば、他の構造を採用することもできる。例えば、遮蔽シート１０の一端に縫い付けた締結用ロープやワイヤなどであってもよい。
【００１８】
＜５＞遮蔽空間（図２）。
本考案の越境防止フェンス１は、水面に展張した遮蔽シート１０によって、水域に一定間隔の遮蔽空間Ｄを形成する点に特徴を有する。なお、図２では説明の便宜上、遮蔽シート１０を透過して表している。
遮蔽空間Ｄとは、遮蔽シート１０の上下に設定される、浮体フェンスＡの両水域を隔てる空間である。
遮蔽空間Ｄを確保することによって、外来水生植物の遮蔽シート１０上部からの越境を防ぐことができる。
また、遮蔽空間Ｄの下方が遮蔽シート１０によって遮光されるため、外来水生植物の光合成を阻害して枯死させることで、遮蔽シート１０の下部からの越境を防ぐことができる。
このような遮蔽空間Ｄを浮体フェンスＡに沿って連続して確保することによって、外来水生植物を対象水域に封じ込めることができる。
【００１９】
＜６＞越境防止フェンスの組立方法。
本考案の越境防止フェンス１は、次の方法で組み立てる。
浮体フェンスＡの上部に設けられたループａ３と連結部１１の挿通孔とに連結ロープ２０を連通して結び、越境防止フェンス１を、浮体フェンスＡの連続方向に沿って連結してゆく。
水面に遮蔽シート１０を広げ、展張部１３の挿通孔に通した展張ロープ３０を水底や陸地に貫入した単管パイプに結び付けて引っ張り、遮蔽シート１０が広がった状態を保持する（図２）。
【００２０】
＜７＞越境防止フェンスの機能。
本考案の越境防止フェンス１は、水生生物Ｂの越境防止機能と、浮体フェンスＡの保護機能とを兼備する。
すなわち、浮体フェンスＡの連続方向に沿って遮蔽空間Ｄを確保することによって、浮体フェンスＡの乗り越え防止と水生生物Ｂの駆除を同時に行うことができる。これによって水生生物Ｂの越境を防止して生息水域内に封じ込めることができる。
また、遮蔽シート１０が浮体フェンスＡの上側方を被覆するため、浮体フェンスＡへの紫外線の照射を遮蔽することができる。これによって、浮体フェンスＡの耐用年数を延ばすことができる。
【実施例２】
【００２１】
[遮蔽シートが板状体からなる例]
本例では、遮蔽シート１０に形状保持可能な板状体を採用する。板状体は比重が１以下の素材を採用する。
本例では、実施例１の効果に加えて、遮蔽シート１０が水面に広がった状態に形状保持されるため、展張ロープ３０や係留支柱Ｃなどによる固定が不要となり、組立作業が容易になる効果を更に奏する。
【符号の説明】
【００２２】
１    越境防止フェンス
１０  遮蔽シート
１１  連結部
１２  被覆部
１３  展張部
２０  連結ロープ
３０  展張ロープ
Ａ    浮体フェンス
ａ１  フロート
ａ２  スカート
ａ３  ループ
Ｂ    水生生物
Ｃ    係留支柱
Ｄ    遮蔽空間
【図１】
0003209925.tif 000003
【図２】
0003209925.tif 000004